(57)【要約】      （修正有）【課題】側面パネルに物品取り出し用の開口を形成することができ、かつ箱体の座屈強度を十分に高めることができる箱用シートを提供する。【解決手段】箱用シートは、１枚のシートからなり、箱型に組み立て可能な箱用シートであって、左右方向一方側から他方側に連接される糊代部１、第１側面パネル２、第２側面パネル３、第３側面パネル４、第４側面パネル５及び第５側面パネル６を備え、組立時に糊代部１が第４側面パネル５の連接方向他方側の外面に貼着され、第５側面パネル６が第１側面パネル２の内面に重ねられることで四角筒状部が構成され、第１側面パネル２に開口形成用の第１破断容易線１１が形成され、第５側面パネル６に組立時に上記第１破断容易線１１と重なり合う第２破断容易線１２が形成される。【選択図】図１
0003212538.tif 000002
【実用新案登録請求の範囲】
【請求項１】
１枚のシートからなり、箱型に組み立て可能な箱用シートであって、
左右方向一方側から他方側に連接される糊代部、第１側面パネル、第２側面パネル、第３側面パネル、第４側面パネル及び第５側面パネルと、
上記第１側面パネルの対向する端縁から延出する一対の第１外フラップと、
上記第２側面パネルの対向する端縁から延出する一対の第１内フラップと、
上記第３側面パネルの対向する端縁から延出する一対の第２外フラップと、
上記第４側面パネルの対向する端縁から延出する一対の第２内フラップと
を備え、
組立時に上記糊代部が上記第４側面パネルの連接方向他方側の外面に貼着され、上記第５側面パネルが上記第１側面パネルの内面に重ねられることで四角筒状部が構成され、
上記第１側面パネルに開口形成用の第１破断容易線が形成され、
上記第５側面パネルに組立時に上記第１破断容易線と重なり合う第２破断容易線が形成される箱用シート。
【請求項２】
上記第１破断容易線が一方の第１外フラップとの境界に両端が位置する凸状であり、
上記一方の第１外フラップに、両端が上記第１破断容易線の両端と接続される開口形成用の第３破断容易線と、上記第３破断容易線に隣接する破断開始用の舌片とが形成される請求項１に記載の箱用シート。
【請求項３】
上記第１破断容易線及び第３破断容易線の全体の概形が、上記連接方向と平行な一対の第１辺及びこれらの第１辺と垂直な一対の第２辺を有する矩形状であり、
上記第１側面パネルに形成される第１辺及び上記一対の第２辺が内側に凸に湾曲している請求項２に記載の箱用シート。
【請求項４】
上記第１破断容易線及び第３破断容易線の角部が丸められている請求項３に記載の箱用シート。
【請求項５】
組立時に上記一方の第１外フラップと重なり合う第１内フラップ及び第２内フラップに、上記第３破断容易線に対応する切り欠きが形成される請求項２、請求項３又は請求項４に記載の箱用シート。
【考案の詳細な説明】
【技術分野】
【０００１】
本考案は、箱用シートに関する。
【背景技術】
【０００２】
物品の保管、運搬等にダンボールシート等から組み立てられる箱体が広く用いられている。この箱体には、物品の保管、運搬用に用いられた後に、物品陳列用の容器として用いられるものがある。物品陳列用の容器として使用可能な箱体は、通常、物品取り出し用の開口を形成可能に構成されている。
【０００３】
このような物品陳列用の容器として使用可能な箱体としては、例えば「陳列時の視認性を改善した包装箱」（特開２００５−１７０４７４号公報参照）が発案されている。この包装箱は、側面パネルに、左右方向に横断するカットテープと、上記カットテープを一端として上縁に至る３つの切目線（中央切目線及びこの中央切目線の左右に配設される一対の切目線（以下、「側方切目線」ともいう））とが形成されている。
【０００４】
上記包装箱は、上記カットテープを剥がしたうえ、中央切目線及び一方の側方切目線を破断することで側面パネルに物品取り出し用の開口を形成可能に構成されている。
【先行技術文献】
【特許文献】
【０００５】
【特許文献１】特開２００５−１７０４７４号公報
【考案の概要】
【考案が解決しようとする課題】
【０００６】
しかしながら、上記公報に記載の包装箱は、側面パネルにカットテープから上縁に至る開口形成用の切目線が形成されているため座屈強度が不十分となりやすい。そのため、この包装箱は、例えば他の包装箱が積層された場合に箱潰れを生じやすい。
【０００７】
本考案は、このような不都合に鑑みてなされたものであり、側面パネルに物品取り出し用の開口を形成することができ、かつ箱体の座屈強度を十分に高めることができる箱用シートの提供を課題とする。
【課題を解決するための手段】
【０００８】
上記課題を解決するためになされた本考案に係る箱用シートは、１枚のシートからなり、箱型に組み立て可能な箱用シートであって、左右方向一方側から他方側に連接される糊代部、第１側面パネル、第２側面パネル、第３側面パネル、第４側面パネル及び第５側面パネルと、上記第１側面パネルの対向する端縁から延出する一対の第１外フラップと、上記第２側面パネルの対向する端縁から延出する一対の第１内フラップと、上記第３側面パネルの対向する端縁から延出する一対の第２外フラップと、上記第４側面パネルの対向する端縁から延出する一対の第２内フラップとを備え、組立時に上記糊代部が上記第４側面パネルの連接方向他方側の外面に貼着され、上記第５側面パネルが上記第１側面パネルの内面に重ねられることで四角筒状部が構成され、上記第１側面パネルに開口形成用の第１破断容易線が形成され、上記第５側面パネルに組立時に上記第１破断容易線と重なり合う第２破断容易線が形成される。
【０００９】
当該箱用シートは、糊代部が組立時に第４側面パネルの連接方向他方側の外面に貼着されるので、この第４側面パネルから上記連接方向の他方側に連続する第５側面パネルを組立時に第１側面パネルの内側に重ねることができる。また、当該箱用シートは、上記第１側面パネル及び第５側面パネルに組立時に重なり合う第１破断容易線及び第２破断容易線が形成されているので、組立状態で上記第１破断容易線及び第２破断容易線を破断することで、物品取り出し用の開口を形成することができる。当該箱用シートは、第１側面パネル及び第５側面パネルが組立時に重なり合うので、箱体に組み立てられた状態での第１破断容易線及び第２破断容易線に起因する座屈強度の低下、並びに物品取り出し用の開口形成後における座屈強度の低下を抑制することができる。
【００１０】
上記第１破断容易線が一方の第１外フラップとの境界に両端が位置する凸状であり、上記一方の第１外フラップに、両端が上記第１破断容易線の両端と接続される開口形成用の第３破断容易線と、上記第３破断容易線に隣接する破断開始用の舌片とが形成されるとよい。このように、上記第１破断容易線が一方の第１外フラップとの境界に両端が位置する凸状であり、上記一方の第１外フラップに、両端が上記第１破断容易線の両端と接続される開口形成用の第３破断容易線と、上記第３破断容易線に隣接する破断開始用の舌片とが形成されることによって、上記舌片の折り曲げによって形成される開口に指を入れ、この開口の縁部に指を掛けて引き出すことで上記第１破断容易線及び第３破断容易線を第３破断容易線側から容易かつ確実に破断することができる。
【００１１】
上記第１破断容易線及び第３破断容易線の全体の概形が、上記連接方向と平行な一対の第１辺及びこれらの第１辺と垂直な一対の第２辺を有する矩形状であり、上記第１側面パネルに形成される第１辺及び上記一対の第２辺が内側に凸に湾曲しているとよい。このように、上記第１破断容易線及び第３破断容易線の全体の概形が、上記連接方向と平行な一対の第１辺及びこれらの第１辺と垂直な一対の第２辺を有する矩形状であり、上記第１側面パネルに形成される第１辺及び上記一対の第２辺が内側に凸に湾曲していることによって、第１側面パネル及び第５側面パネルの屈曲に起因する箱体の座屈強度の低下をより的確に抑制することができる。
【００１２】
上記第１破断容易線及び第３破断容易線の角部が丸められているとよい。このように、上記第１破断容易線及び第３破断容易線の角部が丸められていることによって、第１破断容易線乃至第３破断容易線を確実に破断することができ、第１破断容易線乃至第３破断容易線以外の部分に破れが生じることを抑制することができる。
【００１３】
組立時に上記一方の第１外フラップと重なり合う第１内フラップ及び第２内フラップに、上記第３破断容易線に対応する切り欠きが形成されるとよい。このように、組立時に上記一方の第１外フラップと重なり合う第１内フラップ及び第２内フラップに、上記第３破断容易線に対応する切り欠きが形成されることによって、第１破断容易線乃至第３破断容易線の破断によって形成される開口から箱体の内部に収容される物品を容易に取り出すことができる。
【００１４】
なお、本考案において、「上」及び「下」とは、箱用シートを組み立ててなる箱体の想定される一般的な使用態様における上下を意味し、「左右」とは、想定される一般的な使用態様における左右を意味するが、上記箱体の使用時の向きを制限することを企図するものではない。
【考案の効果】
【００１５】
以上説明したように、本考案に係る箱用シートは、側面パネルに物品取り出し用の開口を形成することができ、かつ箱体の座屈強度を十分に高めることができる。
【図面の簡単な説明】
【００１６】
【図１】本考案の一実施形態に係る箱用シートを示す模式的平面図である。
【図２】図１の箱用シートを組み立ててなる箱体を示す模式的斜視図である。
【図３】図２の箱体のＡ−Ａ線断面図である。
【図４】図２の箱体の物品取り出し用の開口の形成手順を示す模式的部分拡大斜視図である。
【図５】図２の箱体の第１破断容易線及び第３破断容易線の破断後の状態を示す模式的斜視図である。
【図６】図２の箱体の第２破断容易線の破断後の状態を示す模式的斜視図である。
【考案を実施するための形態】
【００１７】
以下、適宜図面を参照しつつ、本考案の実施の形態を詳説する。
【００１８】
［第一実施形態］
＜箱用シート＞
図１の箱用シートは、１枚のシートからなり、箱型に組み立て可能に構成されている。当該箱用シートは、左右方向一方側から他方側に連接される糊代部１、第１側面パネル２、第２側面パネル３、第３側面パネル４、第４側面パネル５及び第５側面パネル６と、第１側面パネル２の対向する端縁から延出する一対の第１外フラップ（第１上側外フラップ７ａ及び第１下側外フラップ７ｂ）と、第２側面パネル３の対向する端縁から延出する一対の第１内フラップ（第１上側内フラップ８ａ及び第１下側内フラップ８ｂ）と、第３側面パネル４の対向する端縁から延出する一対の第２外フラップ（第２上側外フラップ９ａ及び第２下側外フラップ９ｂ）と、第４側面パネル５の対向する端縁から延出する一対の第２内フラップ（第２上側内フラップ１０ａ及び第２下側内フラップ１０ｂ）とを備える。第１側面パネル２乃至第５側面パネル６は、糊代部１が第４側面パネル５の上記連接方向の他方側の外面に貼着され、第５側面パネル６が第１側面パネル２の内面に重ねられることで、組立時に四角筒状部を構成する。なお、図１において、太い実線はシートを切断して形成されるエッジを示し、細い実線はシートの内面に筋押しして形成される罫線を示す。
【００１９】
当該箱用シートを箱型に組み立てる手順について説明する。まず、第３側面パネル４及び第４側面パネル５の連接部を折り曲げ、第４側面パネル５及び第５側面パネル６を第２側面パネル３及び第３側面パネル４の内面に折り重ねる。続いて第１側面パネル２を第２側面パネル３に折り重ねられた第５側面パネル６の外面に折り重ね、糊代部１を第４側面パネル５の上記連接方向の他端側の外面に貼着する。なお、当該箱用シートは、通常この状態でユーザに提供される。
【００２０】
次に、第１側面パネル２の内面に第５側面パネル６が重ねられた状態で、第５側面パネル６及び第３側面パネル４が対向し、かつ第２側面パネル３及び第４側面パネル５が対向するように広げて四角筒状部を形成する。さらに、第１下側内フラップ８ｂ及び第２下側内フラップ１０ｂを内側に略直角に折り曲げたうえ、第１下側外フラップ７ｂ及び第２下側外フラップ９ｂを内側に略直角に折り曲げて先端同士を突き合わせることで底部を形成する。さらに、第１上側内フラップ８ａ及び第２上側内フラップ１０ａを内側に略直角に折り曲げたうえ、第１上側外フラップ７ａ及び第２上側外フラップ９ａを内側に略直角に折り曲げて先端同士を突き合わせることで蓋部を形成する。なお、箱体の組み立てに当たっては、組立容易性の観点から第１側面パネル２及び第５側面パネル６は貼着しないことが好ましい。当該箱用シートは、例えば箱体に収容される物品（不図示）によって第５側面パネル６の内面を支持することができるので、第１側面パネル２及び第５側面パネル６を貼着しなくても、第５側面パネル６が第１側面パネル２の内面に重ねられた状態を安定的に保持することができる。また、第１下側外フラップ７ｂ及び第２下側外フラップ９ｂの突き合わせ部、並びに第１上側外フラップ７ａ及び第２上側外フラップ９ａの突き合わせ部には、突き合わせ状態を保持すべく封函テープＸを貼着することができる。これにより、図２及び図３の箱体が組み立てられる。
【００２１】
当該箱用シートに用いられるシートとしては、当該箱用シートを組み立ててなる箱体の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２２】
第１側面パネル２乃至第５側面パネル６は各々矩形状に形成されている。第１側面パネル２及び第３側面パネル４は略同形状に形成されている。また、第２側面パネル３及び第４側面パネル５は略同形状に形成されている。第１側面パネル２乃至第４側面パネル５の上下方向長さは略等しい。第５側面パネル６の左右方向長さは、箱体の組み立てに当たって、第１側面パネル２を第５側面パネル６の外面に折り重ねやすいよう第１側面パネル２及び第３側面パネル４の左右方向長さよりも僅かに小さい。また、組立時における内フラップ８ａ，８ｂ，１０ａ，１０ｂとの干渉を防止する点から、第５側面パネル６の上縁は第１側面パネル２乃至第４側面パネル５の上縁よりもシート厚さ分程度下方に位置し、第５側面パネル６の下縁は第１側面パネル２乃至第４側面パネル５の下縁よりもシート厚さ分程度上方に位置している。
【００２３】
第１側面パネル２及び第３側面パネル４の左右方向長さは、第２側面パネル３及び第４側面パネル５の左右方向長さよりも大きい。つまり、当該箱用シートは、第１側面パネル２及び第３側面パネル４が一対の長さ面パネルを構成している。第１側面パネル２及び第３側面パネル４の左右方向長さは、当該箱用シートを組み立ててなる箱体に収容する物品のサイズによって適宜設定可能であるが、例えば２０ｃｍ以上５０ｃｍ以下とすることができる。第２側面パネル３及び第４側面パネル５の左右方向長さは、当該箱用シートを組み立ててなる箱体に収容する物品のサイズによって適宜設定可能であるが、例えば１０ｃｍ以上４５ｃｍ以下とすることができる。第１側面パネル２乃至第４側面パネル５の上下方向長さは、当該箱用シートを組み立ててなる箱体に収容する物品のサイズによって適宜設定可能であるが、例えば１０ｃｍ以上４０ｃｍ以下とすることができる。
【００２４】
第１側面パネル２には、開口形成用の第１破断容易線１１が形成されている。第１破断容易線１１は、一方の第１外フラップ（本実施形態においては第１上側外フラップ７ａ）との境界に両端が位置する凸状に形成されている。また、第５側面パネル６には、組立時に第１破断容易線１１と重なり合う第２破断容易線１２が形成されている。組立時において、第２破断容易線１２は全長に亘って第１破断容易線１１と重なり合うよう配置されている。また、第１上側外フラップ７ａには、両端が第１破断容易線１１の両端と接続される第３破断容易線１３が形成されている。第１破断容易線１１乃至第３破断容易線１３は、複数のスリットが間隔を空けて配置されたミシン目によって構成されている。さらに、第１上側外フラップ７ａには、第３破断容易線１３に隣接する破断開始用の舌片１４が形成されている。具体的には、本実施形態では、第１上側外フラップ７ａには、第３破断容易線１３に連続して設けられる一対の舌片形成用の切断線１６及び一対の切断線１６の先端同士を接続する舌片形成用の折り曲げ容易線１５が形成されている。当該箱用シートは、第３破断容易線１３が、第１上側外フラップ７ａの幅方向に延びる直線部１３ａを有しており、一対の舌片形成用の切断線１６が直線部１３ａを基端として、この直線部１３ａと垂直方向、かつ第１上側外フラップ７ａの先端側に向けて延びており、舌片形成用の折り曲げ容易線１５がこの一対の切断線１６の先端同士を接続している。なお、第３破断容易線１３の一対の舌片形成用の切断線１６間の部分は、容易に舌片１４を形成することができるよう長く切断されている。なお、第２破断容易線が「組立時に第１破断容易線と重なり合う」とは、組立状態で第２破断容易線及び第１破断容易線が第１側面パネルの垂直方向視で完全に一致する場合の他、第２破断容易線及び第１破断容易線が第１側面パネルの垂直方向視でシートの厚さ分程度ずれている状態も含む。
【００２５】
当該箱用シートは、組立状態で、第１破断容易線１１及び第３破断容易線１３で囲まれる領域（以下、「第１切離し領域Ｐ」ともいう）を切り離し、さらに第２破断容易線１２及び第５側面パネル６の上縁によって画定される領域（以下、「第２切離し領域Ｑ」ともいう）を切り離すことで、図６に示すように、箱体に物品取り出し用の開口Ｙを形成することができる。
【００２６】
箱体に開口Ｙを形成する手順について説明する。まず、第３破断容易線１３の一対の舌片形成用の切断線１６間の部分を破断し、舌片１４を折り曲げ容易線１５で内側に折り曲げる。図３に示すように、舌片１４は平面視で第１上側内フラップ８ａ及び第２上側内フラップ１０ａ間、かつ後述する切り欠き１７，１８間に形成されており、舌片１４の内側には他のシートが積層されていない。また、箱体に収容される物品は、通常第１上側内フラップ８ａ及び第２上側内フラップ１０ａの内面側に保持されるため、舌片１４と物品との間には少なくともシート厚さ分程度の空隙が形成される。そのため、当該箱用シートは、組み立て状態で舌片１４を箱体の内側に折り曲げやすい。
【００２７】
次に、図４に示すように、舌片１４の折り曲げによって形成された開口Ｚに指を入れ、第１切離し領域Ｐの端縁に指を掛ける。そして、第１切離し領域Ｐの端縁に指を掛けた状態でこの指を外側に引っ張る。これにより、第３破断容易線１３及び第１破断容易線１１を舌片１４側から破断することができる。その結果、図５に示すように、箱体から第１切離し領域Ｐを容易に切り離すことができる。
【００２８】
続いて、箱体の外面に露出した第２切離し領域Ｑの上端部を把持して外側に引っ張る。これにより、第２破断容易線１２を上側から容易に破断することができる。その結果、図６に示すように、箱体から第２切離し領域Ｑを切り離すことで、箱体に物品取り出し用の開口Ｙを形成することができる。なお、当該箱用シートは、第２切離し領域Ｑの切り離しを容易にするため、第２破断容易線１２の両端部が長く切断されていてもよい。
【００２９】
当該箱用シートは、第１破断容易線１１が第１上側外フラップ７ａとの境界に両端が位置する凸状であり、第１上側外フラップ７ａに、両端が第１破断容易線１１の両端と接続される開口形成用の第３破断容易線１３と、第３破断容易線１３に隣接する破断開始用の舌片１４とが形成されているので、上述のように、舌片１４の折り曲げによって形成される開口Ｚに指を入れ、この開口Ｚの縁部に指を掛けて引き出すことで第１破断容易線１１及び第３破断容易線１３を第３破断容易線１３側から容易かつ確実に破断することができる。
【００３０】
第１破断容易線１１及び第３破断容易線１３の全体の概形は、上記連接方向と平行な一対の第１辺及びこれらの第１辺と垂直な一対の第２辺を有する矩形状であることが好ましい。これにより、箱体に収容される物品を開口Ｙから容易に取り出しやすい。また、第１側面パネル２に形成される第１辺及び上記一対の第２辺は内側に凸に湾曲していることが好ましい。より詳しく説明すると、第１側面パネル２に形成される第１辺、上記一対の第２辺、及び第５側面パネル６に形成され、上記第１辺及び第２辺と重なり合う各辺は内側に凸に湾曲していることが好ましい。これにより、第１破断容易線１１乃至第３破断容易線１３の意図しない破断を抑制しつつ、第１側面パネル２及び第５側面パネル６の屈曲に起因する箱体の座屈強度の低下をより的確に抑制することができる。なお、当該箱用シートは、第１上側外フラップ７ａに形成される第１辺は直線状又は外側に凸に湾曲していることが好ましい。第１上側外フラップ７ａに形成される第１辺が内側に湾曲していると、第１切離し領域Ｐに指を掛けた状態でこの指を外側に引っ張った際に、第１切離し領域Ｐが湾曲部分で破れるおそれがある。
【００３１】
第１切離し領域Ｐは第１側面パネル２の左右方向中央に形成されることが好ましい。第１側面パネル２の左右方向長さに対する第１切離し領域Ｐの左右方向平均長さの比の下限としては、０．５０が好ましく、０．６５がより好ましい。一方、上記比の上限としては、０．８５が好ましく、０．７５がより好ましい。上記比が上記下限に満たないと、開口Ｙから物品を容易に取り出し難くなるおそれがある。逆に、上記比が上記上限を超えると、開口Ｙが形成された状態で箱体の座屈強度が十分に得られないおそれがある。
【００３２】
第１側面パネル２における第１切離し領域Ｐの占有面積率の下限としては、０．３が好ましく、０．４がより好ましい。一方、上記占有面積率の上限としては、０．７が好ましく、０．６がより好ましい。上記占有面積率が上記下限に満たないと、開口Ｙから物品を容易に取り出し難くなるおそれがある。逆に、上記占有面積率が上記上限を超えると、開口Ｙが形成された状態で箱体の座屈強度が十分に得られないおそれがある。
【００３３】
第１破断容易線１１及び第３破断容易線１３の角部は丸められていることが好ましい。より詳しく説明すると、第１破断容易線１１及び第３破断容易線の角部、並びに第１破断容易線と重なり合う第２破断容易線１２の角部は丸められていることが好ましい。この構成によると、第１破断容易線１１乃至第３破断容易線１３を確実に破断することができ、第１破断容易線１１乃至第３破断容易線１３以外の部分に破れが生じることを抑制することができる。
【００３４】
また、第１破断容易線１１乃至第３破断容易線１３の角部は連続して切断されていることが好ましい。このように、第１破断容易線１１乃至第３破断容易線１３の角部が連続して切断されていることによって、これらの角部において、第１破断容易線１１乃至第３破断容易線１３以外の部分が破れることをより確実に抑制することができる。
【００３５】
第１上側内フラップ８ａ及び第２上側内フラップ１０ａに、第３破断容易線１３に対応する切り欠き１７，１８が形成されていることが好ましい。具体的には、図３に示すように、第１上側内フラップ８ａ及び第２上側内フラップ１０ａには、箱体の内面に第３破断容易線１３を露出させる切り欠き１７，１８が形成されていることが好ましい。このように、箱体の内面に第３破断容易線１３を露出させる切り欠き１７，１８が形成されることで、第１上側内フラップ８ａ及び第２上側内フラップ１０ａによって開口Ｙが塞がれることが防止されるので、箱体内部に収容される物品を開口Ｙから容易に取り出すことができる。
【００３６】
＜利点＞
当該箱用シートは、糊代部１が組立時に第４側面パネル５の連接方向他方側の外面に貼着されるので、この第４側面パネル５から上記連接方向の他方側に連続する第５側面パネル６を組立時に第１側面パネル２の内側に重ねることができる。また、当該箱用シートは、第１側面パネル２及び第５側面パネル６に組立時に重なり合う第１破断容易線１１及び第２破断容易線１２が形成されているので、組立状態で第１破断容易線１１及び第２破断容易線１２を破断することで、箱体に物品取り出し用の開口Ｙを形成することができる。当該箱用シートは、第１側面パネル２及び第５側面パネル６が組立時に重なり合うので、組立状態での第１破断容易線１１及び第２破断容易線１２に起因する座屈強度の低下、並びに物品取り出し用の開口Ｙ形成後における座屈強度の低下を抑制することができる。そのため、当該箱用シートは、開口Ｙの面積を十分に確保できるよう第１破断容易線１１を比較的シートが屈曲しやすい長さ面パネルに設けた場合でも、十分な座屈強度を得ることができる。
【００３７】
［その他の実施形態］
なお、本考案に係る箱用シートは、上記態様の他、種々の変更、改良を施した態様で実施することができる。例えば上記第３破断容易線は、第１上側外フラップに形成される必要はなく、第１下側外フラップに形成されてもよい。また、当該箱用シートは、第１上側外フラップ及び第１下側外フラップのいずれにも第３破断容易線が形成されない構成とすることも可能である。例えば、当該箱用シートは、第１側面パネルに矩形状の第１破断容易線が形成され、この第１破断容易線と、第５側面パネルに形成され、組立時にこの第１破断容易線と重なり合う第２破断容易線とを破断することで物品取り出し用の開口を形成可能な構成としてもよい。
【００３８】
当該箱用シートは、上記第３破断容易線が形成される場合でも、この第３破断容易線の具体的形状は、特に限定されるものではない。また、当該箱用シートは、上記第３破断容易線が形成される場合でも、第３破断容易線に隣接する破断開始用の舌片を有しなくてもよい。さらに、上記舌片を有する場合でも、この舌片は、必ずしも一対の切断線及び折り曲げ容易線によって画定される必要はない。
【００３９】
当該箱用シートは、組立時に第３破断容易線が形成される第１外フラップと重なり合う第１内フラップ及び第２内フラップに上記第３破断容易線に対応する切り欠きが形成されていなくてもよい。また、当該箱用シートは、この切り欠きに換えて、切り欠き形成用の破断容易線が形成されていてもよい。
【産業上の利用可能性】
【００４０】
以上のように、本考案の箱用シートは、側面パネルに物品取り出し用の開口を形成することができ、かつ箱体の座屈強度を十分に高めることができるので、物品の保管、運搬兼陳列用に好適に用いられる。
【符号の説明】
【００４１】
１  糊代部
２  第１側面パネル
３  第２側面パネル
４  第３側面パネル
５  第４側面パネル
６  第５側面パネル
７ａ  第１上側外フラップ
７ｂ  第１下側外フラップ
８ａ  第１上側内フラップ
８ｂ  第１下側内フラップ
９ａ  第２上側外フラップ
９ｂ  第２下側外フラップ
１０ａ  第２上側内フラップ
１０ｂ  第２下側内フラップ
１１  第１破断容易線
１２  第２破断容易線
１３  第３破断容易線
１３ａ  直線部
１４  舌片
１５  折り曲げ容易線
１６  切断線
１７，１８  切り欠き
Ｐ  第１切離し領域
Ｑ  第２切離し領域
Ｘ  封函テープ
Ｙ，Ｚ  開口
【図１】
0003212538.tif 000003
【図２】
0003212538.tif 000004
【図３】
0003212538.tif 000005
【図４】
0003212538.tif 000006
【図５】
0003212538.tif 000007
【図６】
0003212538.tif 000008